(57)【要約】【課題】この発明は、簡易な構成でありながら開封しやすい食品包装体や食品包装用袋を提供することを目的とする。【解決手段】上記の課題を解決するために、この発明の食品包装体１は、プラスチックシートと、プラスチックシートの対向する辺部同士を合掌合わせにして接着した背貼りシール部２と、背貼りシール部２の両端部２ａにおいて背貼りシール部２に垂直な方向に形成した端部シール部３と、端部シール部３と平行にプラスチックシート上に設けられたカットテープ４と、カットテープ４の一端部に設けられた切り込み線５によって形成されたカットテープ端摘み部６を有する。【選択図】図１
2013151312.tif 000002
【特許請求の範囲】
【請求項１】
プラスチックシートと、プラスチックシートの対向する辺部同士を合掌合わせにして接着した背貼りシール部と、背貼りシール部の両端部において背貼りシール部に垂直な方向に形成した端部シール部と、端部シール部と平行にプラスチックシート上に設けられたカットテープと、カットテープの一端部に設けられた切り込み線によって形成されたカットテープ端摘み部を有する食品包装体。
【請求項２】
プラスチックシートと、プラスチックシートの対向する辺部同士を合掌合わせにして接着した背貼りシール部と、背貼りシール部の一端部において背貼りシール部に垂直な方向に形成した端部シール部と、端部シール部と平行にプラスチックシート上に設けられたカットテープと、カットテープの一端部に設けられた切り込み線によって形成されたカットテープ端摘み部を有する食品包装用袋。
【発明の詳細な説明】
【技術分野】
【０００１】
この発明は、調理パンや菓子パンなどの食品を包装するためのプラスチックフィルム製の食品包装体および食品包装用袋に関する。
【背景技術】
【０００２】
調理パンや菓子パンをプラスチックフィルムでピロー包装することは広く行われている。ピロー包装とは、長方形のプラスチックシートの対向する辺部同士を両手合わせにして接着して背貼りシール部を形成し、さらに背貼りシール部の両端部において背貼りシール部に垂直な方向に端部シール部を形成することにより、封筒状の包装体を形成して内部に商品を収納することである。
【０００３】
このようなピロー包装体では、通常は端部シール部の縁部がのこぎり状に切断されており、消費者はのこぎり状の凹凸を利用して手で袋を引き裂いて、内部の商品を取り出している。また、特許文献１には、開封時に被包装物を容易に取り出すことのできる大きな開口を体裁良く形成することのできるピロー包装体が提案され、合掌シール部の両側に、合掌シール部に対して所定の間隔をあけて他方向に延びる一対の第一切断補助線が形成され、合掌シール部から各第一切断補助線に向けて延びた一対の第二切断補助線が形成され、一対の第二切断補助線は、合掌シール部上で一端同士が一致するように形成され、他端が第一切断補助線に対して非接触になるように形成され、合掌シール部に第二切断補助線の一端と対応するようにノッチが形成されている（請求項１など）。さらに、特許文献２には、ピロー包装タイプの包装袋において、開封用テープを包装袋の内面側に背貼りシール部と交差する方向に該袋の周囲全体を巻き回すように設けて、開封用テープ付き包装袋を構成することが記載されている。
【先行技術文献】
【特許文献】
【０００４】
【特許文献１】特開２０１１−５１５９７号
【特許文献２】登録実用新案公報第３０２０３０７号
【発明の概要】
【発明が解決しようとする課題】
【０００５】
従来のピロー包装体の場合、のこぎり状の縁部の切り込みを利用し、背貼りシール部と同じ方向に沿って、包装体を引き裂いていく。のこぎり状の縁部には多数の山谷が形成されているが、商品の上を切断線が通るような破り方はやりにくいので、端部シール部の端の方から破り始めなければならない。しかし、そのような部位はつかみにくい。また、商品の上を通らないように切断するためには、商品の幅よりも広い幅の袋を使用し、袋の側部に余分な空間を形成しなければならない。
【０００６】
特許文献１や特許文献２に記載された包装体の場合、背貼りシール部（合掌シール部）から開封を開始する。しかし、背貼りシール部は目立たないように包装体の裏面に設けられるので、消費者は開封開始位置を見つけにくい。また、背貼りシール部は固く、開封を開始するために強い力を必要とする。
【０００７】
この発明は、簡易な構成でありながら開封しやすい食品包装体や食品包装用袋を提供することを目的とする。
【課題を解決するための手段】
【０００８】
上記の課題を解決するために、この発明の食品包装体は、プラスチックシートと、プラスチックシートの対向する辺部同士を合掌合わせにして接着した背貼りシール部と、背貼りシール部の両端部において背貼りシール部に垂直な方向に形成した端部シール部と、端部シール部と平行にプラスチックシート上に設けられたカットテープと、カットテープの一端部に設けられた切り込み線によって形成されたカットテープ端摘み部を有する。
【０００９】
また、この発明の食品包装用袋は、プラスチックシートと、プラスチックシートの対向する辺部同士を合掌合わせにして接着した背貼りシール部と、背貼りシール部の一端部において背貼りシール部に垂直な方向に形成した端部シール部と、端部シール部と平行にプラスチックシート上に設けられたカットテープと、カットテープの一端部に設けられた切り込み線によって形成されたカットテープ端摘み部を有する。
【発明の効果】
【００１０】
この発明の食品包装体および食品包装用袋は、簡易な構成でありながら、簡単に開封することができる。開封開始位置は袋の裏面に限定されず、使用者にわかりやすい位置を選択することができる。
【図面の簡単な説明】
【００１１】
【図１】食品包装体を示す斜視図である。
【図２】食品包装体の原反シートを示す正面図である。
【図３】同断面図である。
【図４】食品包装用袋を示す正面図である。
【図５】同背面図である。
【図６】同右側面図である。
【図７】同左側面図である。
【図８】同平面図である。
【図９】同底面図である。
【図１０】食品包装用袋のプラスチックシートの上面部の背面図である。
【発明を実施するための形態】
【００１２】
本発明を実施するための形態について、図面に基づいて詳細に説明する。図１は食品包装体を示す斜視図である。
【００１３】
食品包装体１は、プラスチックシートと、プラスチックシートの対向する辺部同士を合掌合わせにして接着した背貼りシール部２と、背貼りシール部２の両端部２ａにおいて背貼りシール部２に垂直な方向に形成した端部シール部３と、端部シール部３と平行にプラスチックシート上に設けられたカットテープ４と、カットテープ４の一端部に設けられた切り込み線５によって形成されたカットテープ端摘み部６を有する。このようにして、袋状のピロー包装体が形成され、その内部に菓子パンや調理パンなどの食品ｘが収納される。
【００１４】
この食品包装体１の袋体はプラスチックシートによって構成される。プラスチックシートとしては、熱溶着シートが好ましい。また、無色透明なシートを使用することにより内部の食品が見えるようにすることができる。
【００１５】
この食品包装体１の製造方法の例について説明する。ピロー包装自体は既に広く普及しているので、この発明に特有な事項以外は簡略に説明する。図２は食品包装体の原反シートを示す正面図、図３はカットテープ端摘み部の断面図である。
【００１６】
原反シート１０は所定の幅Ｗを有し、繰り返し単位となる単位シート１１が長さ方向に連続的につながったものである。ここで、原反シート１０の幅Ｗはピロー包装体の幅Ｗｐの２倍に対応し、背合わせのための分だけさらに広くなっている。また、単位シート１１の長さＬ、すなわち、繰り返し周期はピロー包装体の長さに対応する。
【００１７】
原反シート１０の長さ方向に直角にカットテープ４が設けられ、その一端部には切り込み線５によりカットテープ端摘み部６が形成されている。ここでは切り込み線５は半円状にあるが、半楕円状、長方形の３辺、あるいは３角形の２辺であってもよい。カットテープ３は単位シート１１の長さ中心に設けられていてもよく、それからずれた位置でもよい。そして、カットテープ端摘み部６には内部シート７が取り付けられており、切り込み線５の箇所を封止している。
【００１８】
この原反シート１０から単位シートを切り出し、その上に食品をのせる。細長い食品であれば、その長さ方向を原反シート１０の長さ方向にあわせておく。また、その食品の上側を単位シートに当てる。
【００１９】
単位シート１１は長方形であり、その対向する２辺１１ａを合掌合わせにして、熱溶着などで接着して背貼りシール部を形成する。ここでは、原反シートのときに両側部であった側の辺１１ａを背貼りシール部にする。こうして、単位シート１１は両側の口部が開いた筒状になる。
【００２０】
ついで、背貼りシール部の両端部、すなわち、筒の両口部において、背貼りシール部に垂直な方向に熱溶着を行い、端部シール部を形成する。こうして、図１に示すような内部に食品を密封した食品包装体が形成される。このとき、食品の上面は、食品包装体１の上面、すなわち、背貼りシール部がない側の面を向いている。そして、この食品包装体１の上面にカットテープ４およびカットテープ端摘み部６が位置する。
【００２１】
この例の製造方法は、既に普及している包装機械を使用して実施できる。従って、新たな設備の導入は特に必要がない。
【００２２】
つぎに、この食品包装体１の開封方法について説明する。消費者は、カットテープ端摘み部６をつまんで引き上げることにより、カットテープ４に沿って食品包装体１の上面を開くことができる。カットテープ端摘み部６は食品包装体１の上面にあるので、簡単に見つけることができる。また、この切断開始部には固い背貼りシール部がないので、強い力を必要としない。こうして、簡単に内部の食品を取り出すことができる。
【００２３】
さらに、食品包装体１の製造方法の別の例について説明する。この例では、まず食品包装用袋を製造し、この中に食品を入れて開口部を閉じることによって食品を密封した食品包装体を形成する。
【００２４】
図４から図９は食品包装用袋を示す六面図であり、図４は正面図、図５は背面図、図６は右側面図、図７は左側面図、図８は平面図、図９は底面図である。また、図１０はこの食品包装用袋のプラスチックシートの上面部の背面図であり、内部を示す。
【００２５】
この食品包装用袋は、一端部にしか端部シール部が形成されておらず、他端部は開口状態で、袋の形状である。そして、正面側にカットテープ４とカットテープ端摘み部６が設けられ、背面には背貼りシール部が形成されている。正面図に示される半円は切り込み線を示す。
【００２６】
この食品包装用袋は、たとえば、図２に示すような原反シートを使用して、通常の包装機械で製造することができる。内部にまだ食品を入れないことと一端部にしか端部シール部を形成しないことを除いては、上述の製造方法の例と同じである。
【００２７】
食品包装用袋はこの状態で食品製造者や食品販売者に供給される。食品製造者や食品販売者は、開口部より食品を食品包装用袋の中に入れ、開口部を封止することにより、図１に示すような内部に食品を密封した食品包装体を得ることができる。プラスチックフィルムとして熱圧着シートを使用することにより、熱圧着で簡単に開口部を封止して端部シール部を形成することができる。多くの食品製造者や食品販売者が既に所有しているような簡易な熱圧着装置で十分である。
【００２８】
また、この食品包装用袋は背貼りシール部に垂直なカットテープ４を正面側に有するが、このようなピロー包装体はこれまでにない。したがって、これまでのピロー包装体とは異なる新規な意匠である。この食品包装用袋により得られる内部に食品を密封した食品包装体も同様である。そして、カットテープ３によって正面（上面）を開かれた状態もまた、消費者に新しい印象を与える。
【符号の説明】
【００２９】
１．食品包装体
２．背貼りシール部
３．端部シール部
４．カットテープ
５．切り込み線
６．カットテープ端摘み部
【図１】
2013151312.tif 000003
【図２】
2013151312.tif 000004
【図３】
2013151312.tif 000005
【図４】
2013151312.tif 000006
【図５】
2013151312.tif 000007
【図６】
2013151312.tif 000008
【図７】
2013151312.tif 000009
【図８】
2013151312.tif 000010
【図９】
2013151312.tif 000011
【図１０】
2013151312.tif 000012